(57)【要約】【課題】プラグをコンセントへ差込む際に，プラグを縦横どちらの方向にも差込可能とするコンセントの提案。【解決手段】プラグの端子刃８の差込口４つをロの字状に配置するとともに，対向する前記差込口の極性が逆であるものを子コンセント１とし，前記子コンセント１によりなることを特徴とするコンセント５。【選択図】 図４
2009170143.tif 000002
【特許請求の範囲】
【請求項１】
４つのプラグ端子刃の差込口を，対向する前記差込口の極性が逆であるようにロの字状に配置した子コンセントが，一口又は複数口からなることを特徴とするコンセント。
【請求項２】
複数口の前記子コンセントからなり，前記子コンセントの差込口が隣接する前記子コンセントと共有されることを特徴とするコンセント。
【発明の詳細な説明】
【技術分野】
【０００１】
本発明は，プラグの端子刃をコンセントへ差込む際に，プラグを縦横どちらの方向でも差込み可能とするものである。
【背景技術】
【０００２】
これまで，コンセントは，プラグの端子刃（一般に，二つの突起した長方形電極であり，丸穴が施されている）の差込み方向が一方向のもののみであり（例えば，非特許文献１の図１６・３１（ａ）又は（ｂ）に記載されていもの），縦横いずれにも差込み可能なものは見当たらない。しかし，プラグの端子刃の差込み方向は，必ずしも一方向に固定する必然性はない。
【非特許文献１】図解電気の大百科，オーム社，平成７年５月２５日第１版第１刷発行，７９８ページ
【０００３】
むしろ，挿入方向を選ばない構成の方が，電気の需要家にとっては都合がよい。例えば，掃除機の場合，移動が水平方向であることから，プラグにおける電源コードの保護構成上，横方向ではなく縦方向にプラグの端子刃をコンセントに差込む方が端子刃への応力が小さくなり，端子刃を保護する上で都合がよい。
【０００４】
また，縦横両方向のコンセントを用意することも考えられるが，電気の需要家にとっては両方向のものを用意するのは負担である。
【発明の開示】
【発明が解決しようとする課題】
【０００５】
そのため，一つのコンセントで，縦横のどちらの方向にもプラグが差込み可能なものが実現されれば，利便性が向上することになる。本発明は、かかる課題を解決するものであり、既存のプラグ端子刃のサイズに整合するコンセントを提案するものである。
【課題を解決するための手段】
【０００６】
つまり，請求項１に係るコンセントは，プラグの端子刃を差込む長方形の差込口４つをロの字状に配置し，かつ，対向する対辺の差込口の電気的極性（プラス，マイナス）を逆にしたことを特徴とする子コンセントを要素とし，この子コンセントが一口又は複数口からなるコンセントである。
【０００７】
請求項２に係るコンセントは，請求項１により規定される子コンセントの平面状での複数の組合せからなり，この子コンセントの要素である差込口が隣接する子コンセントと共有され，これにより線状（一次元）又は面状（二次元）に構成することが可能なコンセントである。
【発明の効果】
【０００８】
本発明の実施により，縦横両方向にプラグをコンセントに差込むことが可能となり，また，これまでは線状にプラグ端子刃の差込口（端子刃を差込む２孔を一組としたもの）を配置するだけだったのに，面状（２次元状）に差込口を配置することが可能になる。
【発明を実施するための最良の形態】
【０００９】
以下、本発明の実施の形態を、図面に基づき説明する。
（実施例１）
【００１０】
図１は，子コンセント１の外形図であり，概略寸法も記入してある。子コンセント１の差込口２は４つからなり，ロの字状（正方形状）に配置される。対向する（対辺の）差込口については，電気の極性が反対になるように内部配線を行う。例えば，差込口２ａ，２ｂをプラスに，差込口２ｃ，２ｄをマイナス（Ｇ：接地極）にする（以下，差込口を図示する際には，差込口が短い（又は黒塗りの）ものがプラス，長い（又は，白抜きの）ものがマイナスとする）。また，図２に示すように極性の配置は４つの場合があるが，図２（ｂ），図２（ｃ）および図２（ｄ）のものは，図２（ａ）のものを，それぞれ９０度，１８０度回転および２７０度回転したものに過ぎず，以下，図２（ａ）のものを基本に説明する。
【００１１】
図３は，子コンセント１の内部構造の平面図である。差込口に対応して，内部には，プラグの端子刃が差込まれ把持する電極３ａ，３ｂ，３ｃ，３ｄが配置されており，隣り合う電極３ａと電極３ｂがプラスの電源に電線４ａにて，また，隣り合う電極３ｃと電極３ｄがマイナスの電源（Ｇ）に電線４ｂにて，それぞれ電気的に接続される。
【００１２】
この子コンセント１を使用して，コンセントを構成する。図４は，２口の子コンセント１からなるコンセント５の構成例であるが，この図４に限らず，子コンセント１は１口でも，また，３口以上でもよい。なお，子コンセント１の電極３と，電源コード６及びプラグ７との電気的な接続図は省略する。
【００１３】
図５は，コンセント５に，電気機器からの電源コード９を介してプラグ１０を差込んだ状態を図示したものであるが，プラグ１０ａは，従来のコンセントにおける差込み方向であるが，プラグ１０ｂはプラグ１０ａとは角度が９０度回転した差込方向となっている。
【００１４】
図４及び図５に示すコンセントは，電源コード６とプラグ７がついているポータブル型コンセントであるが，子コンセント１の応用としては，このようなポータブル型に限定されず，壁に埋込み配置される固定型コンセントへの適用でもよい。
（実施例２）
【００１５】
実施例１においては，子コンセント１を孤立配置したが，子コンセント１を幾つか隣り合わせて面状（二次元状）に配置することも可能である。図６は子コンセント１を４つ隣り合わせて構成したものである（ただし，差込口の一辺を，隣り合う子コンセント１と共有するように構成している）。このコンセント５の内部構成（特に電気配線に関するもの）を図７に示す。中央のプラスの電極３ａ，３ｂ，３ｃ，３ｄは電線４ａを介してプラスの電源に，周辺部分のマイナス（Ｇ）の電極３ｅ，３ｆ，３ｇ，３ｈ，３ｉ，３ｊ，３ｋ，３ｌは，電線４ｂを介してマイナス（Ｇ）の電源に接続される。なお，電線４の許容通電電流（電線太さ）の算定は，コンセント５から電気を供給する電気機器の容量により決まり，また，当業者にとってはその決定は容易なので，省略する。
【００１６】
図６では，子コンセント１が４つの場合のコンセント５の一例を示したが，複数口の子コンセント１の組合せで様々な構成が可能である。その規則性を図８で説明すると，子コンセント１ａの隣に子コンセント１ｂを構成するには，差込口２ａの対辺の差込口２ｅの極性を逆にする。図８（ａ）では，差込口２ａがプラス極なので，その対辺の差込口２ｅはマイナス極となる。そして，子コンセント１ｂの残りの差込口２ｆ，２ｇの極性は逆となるが，その配置は図８（ｂ１）でも図８（ｂ１）でも，どちらでもよい。
【００１７】
この規則性を活用すれば，子コンセント１が３つの場合の一例として図９（ａ１）や図９（ａ２）のように構成できるし，また，子コンセント１が９つの場合の一例として図９（ｂ）のようにも構成でき，一般に，２以上の任意の口数の子コンセント１で二次元状にコンセント５を複数構成できる。
【００１８】
なお，実施例１でも説明したように，ポータブル型に限定されず，家庭の壁に埋め込み配置される固定型コンセントへも応用できる。
【図面の簡単な説明】
【００１９】
【図１】子コンセントの構成。
【図２】子コンセントの差込口の配置。
【図３】子コンセントの内部の電気配線。
【図４】子コンセント２つが孤立配置されているコンセント。
【図５】子コンセント２つが孤立配置されているコンセントに電気機器のプラグが差込まれた状態。
【図６】子コンセント４つが隣接配置（二次元配置）されているコンセント。
【図７】子コンセント４つが隣接配置（二次元配置）されているコンセントの内部の電気配線。
【図８】子コンセントの隣接配置の規則性の説明図。
【図９】子コンセントの隣接配置の例。
【図１】
2009170143.tif 000003
【図２】
2009170143.tif 000004
【図３】
2009170143.tif 000005
【図４】
2009170143.tif 000006
【図５】
2009170143.tif 000007
【図６】
2009170143.tif 000008
【図７】
2009170143.tif 000009
【図８】
2009170143.tif 000010
【図９】
2009170143.tif 000011